(57)【要約】【課題】  滅菌処理の過程で、上面部の切り裂き筋に囲まれた部分が浮き上がらない構成の薬用瓶のゴム栓固定用口金の提供を課題とする。【解決手段】  薬用瓶を閉塞しているゴム栓を固定する口金１０は円盤状の上面部１１と円筒状の周胴部１２とによって構成されている。上面部１１の中央部には、口金１０に冠着する合成樹脂製の蓋部材を固定するための透孔１３が設けられている。上面部１１には切り裂き筋１４が、周胴部１２には切り裂き筋１６が設けられている。切り裂き筋１４の形状は、透孔１３を含む万年筆のペン先形状に選ばれている。透孔１３の近傍の切り裂き筋１４は、比較的に厚みがある肉厚切り裂き部１４ｃによって構成され、他の部分は比較的に厚みが薄い肉薄切り裂き部１４ａによって構成されている。１４ｂは連続的に厚みが変化する接続部である。【選択図】  図１
0003168544.tif 000002
【実用新案登録請求の範囲】
【請求項１】
瓶口がゴム栓によって閉塞されている薬用瓶の当該瓶口に冠着した状態で前記ゴム栓を固定する金属製の円盤状の上面部と円筒状の周胴部とからなる逆有底円筒状の薬用瓶のゴム栓固定用口金であって、
該口金の前記上面部の中央部には、当該口金に冠着固定される合成樹脂製の蓋部材固定用の透孔が設けられ、
前記口金の上面部には、前記透孔を含んだ万年筆のペン先形状の連続した切り裂き筋が形成され、当該ペン先形状の元部の２本の切り裂き筋は、前記周胴部に形成された２本の切り裂き筋にそれぞれ連設され、
前記ペン先形状の切り裂き筋における前記口金の厚みは、前記透孔の近傍の前記切り裂き筋における前記厚みが前記切り裂き筋の他の部分における前記厚みよりも厚くなるように選ばれていることを特徴とする薬用瓶のゴム栓固定用口金。
【請求項２】
前記切り裂き筋の前記他の部分における厚みよりも厚くなるように選ばれている前記透孔の近傍の前記切り裂き筋の部分と前記切り裂き筋の他の部分との間には、前記厚みが連続的に変化する接続部が設けられていることを特徴とする請求項１に記載の薬用瓶のゴム栓固定用口金。
【考案の詳細な説明】
【技術分野】
【０００１】
本考案は、薬用瓶の瓶口を閉塞するゴム栓を固定する薬用瓶のゴム栓固定用口金に関するものである。
【背景技術】
【０００２】
図５は、従来の薬用瓶の構成を示した斜視図である。
【０００３】
図５において、１は薬剤や薬液２等を収納する薬用瓶、１０は薬用瓶１の瓶口を閉塞しているゴム栓（図１０参照）を固定している金属製の口金、２０は口金１０に冠着した状態で口金１０の上面部に固定されている合成樹脂製の蓋部材である。
【０００４】
図６は、従来の口金１０の構成を示した図で、図６（ａ）は口金１０の上面部１１の構成を示す平面図、図６（ｂ）は口金１０の斜視図である。
【０００５】
図６（ａ），（ｂ）に示したように口金１０は、円盤状の上面部１１と円筒状の周胴部１２とから構成されており、上面部１１の中央部には蓋部材２０固定用の透孔１３が設けられている。図５に示した合成樹脂製の蓋部材３０の上面部の裏面側には、透孔１３に係合可能な円筒部が形成されており、この円筒部を透孔１３に係合させることによって蓋部材２０は口金１０の上部に固定されるものである。
【０００６】
図６（ａ）において、１４は上面部１１の他の部分に比して厚みが薄い又は切断状態となっている切り裂き筋である。この切り裂き筋１４は連続して形成されておらず、数ヶ所に上面部１１の他の部分とその厚みが同じな連続部１５が設けられており、この連続部１５によって上面部１１の一体性が保たれている。
【０００７】
さらに、図６（ｂ）に示したように、この上面部１１の切り裂き筋１４の端部は、周胴部１２に形成された２本の切り裂き筋１６に連設するように形成されている。
【０００８】
このように構成された口金１０は、ゴム栓によって閉塞されている薬用瓶１の瓶口に冠着した状態で周胴部の下端部が瓶口に巻き締め固定されるものである（図１０参照）。
【０００９】
以上のように構成された薬用瓶１に収納されている薬液２を使用する場合には、使用者が図７（ａ）に示した状態から蓋部材２０を外すと、図７（ｂ）に示したように蓋部材２０が外れる過程において、口金１０の上面部１１が切り裂き筋１４に沿って切り裂かれ、次いで周胴部１２が切り裂き筋１６に沿って切り裂かれる。このようにして、切り裂き筋１４，１６に沿って切り裂かれた口金１０を瓶口から外し、瓶口を閉塞しているゴム栓３を外すことによって、使用者は薬用瓶１に収納されている薬液２を使用することができる。
【考案の概要】
【考案が解決しようとする課題】
【００１０】
ここで、薬用瓶１に収納されている薬液２や薬剤は、その種類によっては、出荷する状態（図５に示す状態）にした段階において、高圧高温化で一定時間滅菌処理しなければならないものがある。このような種類の薬液や薬剤に対しては、図５に示したような構成の従来の薬用瓶１は使用することが出来なかった。
【００１１】
その理由は、図５に示したような構成の薬用瓶１に、以上のような滅菌処理を施した場合には、図６に示した連続部１５が滅菌処理の過程において破壊されてしまい、図８に示したように、口金１０の上面部１１の切り裂き筋１４が囲まれた部分が浮き上がってしまうからである。即ち、このように切り裂き筋１４の内側が浮き上がってしまうと、ゴム栓３に対する押圧力が低下してしまい、ゴム栓３による瓶口の密閉状態を担保することができなくなってしまうからである。
【００１２】
このような現象が起きてしまう理由は、以下のように考えることができる。
【００１３】
図９は、高圧高温下の滅菌処理過程における口金１０の上面部の状態を示した図である。そのＡ−Ａ断面図を図１０（ａ）に示し、そのＢ−Ｂ断面図を図１０（ｂ）に示す。
【００１４】
高温下での滅菌処理過程においては、その熱によってゴム栓３が膨張する。このゴム栓３が膨張して変形する度合は、図１０（ａ），（ｂ）に示すように、ゴム栓３の中央部に近づくに従って大きくなる。従って、図９に示した透孔１３に近い切り裂き筋１４においては、その切り裂き筋１４の両側で大きな高低差が生じることとなり、その結果として、切り裂き筋１４に挟まれた連続部１５に力が加わって連続部１５が破壊されてしまい、切り裂き筋１４で囲まれた部分がゴム栓３の中央部の変形に従って浮き上がるという現象が起こってしまうと考えられる。
【００１５】
以上説明したように、図５に示した構造の従来の薬用瓶１においては、滅菌処理をすることが出来ないという問題点があった。
【課題を解決するための手段】
【００１６】
以上の問題点を解消するために、本考案は、瓶口がゴム栓によって閉塞されている薬用瓶の当該瓶口に冠着した状態で前記ゴム栓を固定する金属製の円盤状の上面部と円筒状の周胴部とからなる逆有底円筒状の薬用瓶のゴム栓固定用口金であって、該口金の前記上面部の中央部には、当該口金に冠着固定される合成樹脂製の蓋部材固定用の透孔が設けられ、前記口金の上面部には、前記透孔を含んだ万年筆のペン先形状の連続した切り裂き筋が形成され、当該ペン先形状の元部の２本の切り裂き筋は、前記周胴部に形成された２本の切り裂き筋にそれぞれ連設され、前記ペン先形状の切り裂き筋における前記口金の厚みは、前記透孔の近傍の前記切り裂き筋における前記厚みが前記切り裂き筋の他の部分における前記厚みよりも厚くなるように選ばれていることを特徴とするものである。
【００１７】
ここで、前記切り裂き筋の前記他の部分における厚みよりも厚くなるように選ばれている前記透孔の近傍の前記切り裂き筋の部分と前記切り裂き筋の他の部分との間には、前記厚みが連続的に変化する接続部が設けられていてもよい。
【考案の効果】
【００１８】
本考案によれば、滅菌処理の過程で、上面部の切り裂き筋に囲まれた部分が浮き上がらない構成の薬用瓶のゴム栓固定用口金を提供することができる。
【図面の簡単な説明】
【００１９】
【図１】本考案の実施例１の構成を示す斜視図である。
【図２】本考案の実施例１を装着した薬用瓶の斜視図である。
【図３】本考案の実施例１の上面部の構成を示す平面図である。
【図４】本考案の実施例１の構成の説明図である。
【図５】従来の薬用瓶の構成を示す斜視図である。
【図６】従来の薬用瓶のゴム栓固定用口金の構成図である。
【図７】従来の薬用瓶の使用方法の説明図である。
【図８】従来の薬用瓶の説明図である。
【図９】従来の薬用瓶の説明図である。
【図１０】従来の薬用瓶の説明図である。
【考案を実施するための形態】
【００２０】
以下、図面を用いて本考案の実施例を説明する。
【実施例１】
【００２１】
図１は、本考案の実施例１の構成を示す斜視図であり、図２は本実施例１が装着された薬用瓶１の構成を示す斜視図である。図１，図２において、先に説明した従来例すなわち図５，図６に示した従来例と同一符号のものは同一のものを示しているので、その説明は省略する。
【００２２】
本実施例１が従来例と異なるところは、口金１０の上面部１１に形成されている切り裂き筋１４の構成である。
【００２３】
この切り裂き筋１４の構成について、図３と図４とを用いて詳しく説明する。
【００２４】
図３は、本実施例１の上面部１１の構成を示す平面図である。図３のＸ−Ｘ断面図を図４（ａ）に示し、図３のＹ−Ｙ断面図を図４（ｂ）に示す。
【００２５】
図３に示すように、本実施例１の上面部１１の切り裂き筋１４は、従来例とは異なり連続して形成された切り裂き筋である。また、その形状は、透孔１３を含んだ万年筆のペン先形状に形成してある。このペン先形状の元部の２本の切り裂き筋１４は、周胴部１２の２本の切り裂き筋１６にそれぞれ連結している。
【００２６】
ここで図３，図４において、１４ａは上面部１１の他の部分に比して厚みが薄い又は切断状態となっている肉薄切り裂き部であり、また１４ｃは上面部１１の他の部分に比して厚みが薄く且つ肉薄切り裂き部１４ａよりも厚みが厚い肉厚切り裂き部である。１４ｂは、肉薄切り裂き部１４ａと肉厚切り裂き部１４ｃとの間に形成された接続部であり、肉薄切り裂き部１４ａから肉厚切り裂き部１４ｃまで連続的にその厚みが変化するように形成されている。
【００２７】
このように切り裂き筋１４の形状をペン先形状にした理由は、滅菌処理時にゴム栓が膨張して変形したとしても、切り裂き筋１４の両側でなるべく高低差が生じないような形状、すなわち、円盤状の上面部１１の中心を中心とする同心円になるべく切り裂き筋１４が沿わないような形状とするためである。そして、同心円に沿うとしても他の部分に比して切り裂き筋１４の両側の高低差が比較的小さくなる中心の近く（透孔１３の近く）に切り裂き筋１４を形成するようにしたためである。さらに、切り裂き筋１４がこの同心円の形状に近づく透孔１３の近傍の切り裂き筋１４は、切り裂き筋１４の他の部分（肉薄切り裂き部１４ａ）に比して厚みを増して（肉厚切り裂き部１４ｃ）、その強度を高めてある。
【００２８】
このように構成された本実施例１によれば、高圧高温下で行う滅菌処理の過程においてゴム栓３が膨張して変形したとしても、切り裂き筋１４が全体に亘って切断されることはなく、従ってこの滅菌処理の過程において切り裂き筋１４に囲まれた部分が浮き上がるようなことはない。
【００２９】
さらに、本実施例においては、肉薄切り裂き部１４ａと肉厚切り裂き部１４ｃとの間に接続部１４ｂが設けられているので、使用者が口金１０を外して薬液２を使用する際、使用者は蓋部材２０を外せば、口金１０の上面部１１を切り裂き筋１４に沿ってスムーズに切り裂くことができる。
【符号の説明】
【００３０】
１  薬用瓶
２  薬液
３  ゴム栓
１０  口金
１１  上面部
１２  周胴部
１３  透孔
１４，１６  切り裂き筋
１４ａ  肉薄切り裂き部
１４ｂ  接続部
１４ｃ  肉厚切り裂き部
１５  連続部
２０  蓋部材
【図１】
0003168544.tif 000003
【図２】
0003168544.tif 000004
【図３】
0003168544.tif 000005
【図４】
0003168544.tif 000006
【図５】
0003168544.tif 000007
【図６】
0003168544.tif 000008
【図７】
0003168544.tif 000009
【図８】
0003168544.tif 000010
【図９】
0003168544.tif 000011
【図１０】
0003168544.tif 000012